Podtech/llm-jp-corpus-v4-ja_patent huggingface dataset:
(57)【要約】      （修正有）【課題】肩叩きによる肩こり解消を、いつでも誰でも手軽に行えるように、構造が簡単で、持ち運びしやすい肩叩きを提供する。【解決手段】叩き部材にウレタン材質のボール状のものを使用し、柄部に細くても強度のある竹棒やプラスチック棒を使用することで、器具の軽量化を計ることが出来、「軽く長く叩く」という、肩叩きの要点を満足することが出来る。又、振り叩くことによるボールと棒とのすっぽ抜けの無いように、ボールと棒の接続部はプラスチック系の接着剤で固定する。これにより手軽にいつでもどこでも肩こりの解消がしやすくなる。【選択図】図１
0003153513.tif 000002
【実用新案登録請求の範囲】
【請求項１】
叩き部材にウレタン材質のボール状のものを使用し、柄部には竹又はプラスチック製の細目の棒を使用し、振り叩くことによって、ボールと棒とのすっぽ抜けの無いように、ボールと棒の接続部には、プラスチック系の接着剤で固定することで軽量化を計り、利便性を向上させることを特徴とする、肩叩き器具。
【請求項２】
肩叩き器具自体の、手からのすっぽ抜けを防止するために、棒の端部に小さな穴を空けて、ゴム紐を取り付け、肩叩き器具使用時の取り落としを防ぐことを特徴とする、請求項１記載の肩叩き器具。
【請求項３】
ボールに色や絵柄を入れたり、ボールの大きさや棒の長さを変える事により、嗜好性や携帯性を向上させることを特徴とする、請求項１記載の肩叩き器具。
【請求項４】
柄である棒の部分を、中空の伸縮性のスチール製のものに変える事によって、さらなる携帯性を向上させることを特徴とする、請求項１記載の肩叩き器具。
【考案の詳細な説明】
【技術分野】
【０００１】  この考案は、肩叩きによる肩こり解消を、いつでも誰でも手軽に行えるように、構造が簡単で、持ち運びしやすい形状に関する考案である。
【背景技術】
【０００２】  従来の肩叩き器具の多くは、叩くことによって肩の凝りをほぐすものであるが、あまり長く使用する事は難しく、持ち運びしにくいものが多い。
【考案の概要】
【考案が解決しようとする課題】
【０００３】  従来器具の、重い・硬い・持ち運びしにくい、等の難点を解消する為に、この考案は、肩叩きによる肩こり解消を、いつでも誰でも手軽に行えるように、構造が簡単で、持ち運びしやすい形状を提供することを課題とする。
【課題を解決するための手段】
【０００４】  以上の課題を解決する為に、第一考案として、叩き部材にウレタン材質のボール状の物を使用し、柄部には竹又はプラスチック製の適度な太さと強度のある、細目の棒を使用することにより、計量化を計り、振り叩くことによって、ボールと棒とのすっぽ抜けの無いように、ボールと棒の接続部は、プラスチック系の接着剤で固定する。【０００５】  又、第二考案として、肩叩き器具自体の、手からのすっぽ抜けを防止する為に、棒の端部に小さな穴を空けて、ゴム紐を輪状に取り付け、それを任意の指に通しておくことで、肩叩き器具使用時の取り落としを防ぐ。【０００６】  又、第三考案として、ボールに色や絵柄を入れたり、大きさや長さを変える事で、嗜好性や携帯性を向上させる。【０００７】  又、第四考案として、柄である棒の部分を中空の伸縮性のスチール製の物に変える事によって、さらなる携帯性を向上させる。
【考案の効果】
【０００８】  第一考案により、適度な強さで長く叩くという行為を、年齢に関係なく、誰でも同様に続ける事が出来、尚且つ、叩き部本体の材質を柔らかいウレタン製にすることで、叩き過ぎによる身体への悪影響が起こりにい。【０００９】  第二考案により、握力の少ないお年寄りや幼児でも、取り落とすこと無く、長く使う事が出来る。【００１０】  第三考案により、顕示欲性が向上し、人目を気にすることなく、いつでもどこでも取り出して使用することがしやすくなる。【００１１】  第四考案により、小さなカバンにも入れることが出来て、どこにでも気軽に持って行ける。
【図面の簡単な説明】
【００１２】
【図１】この考案の一実施形態を示す平面図である。
【図２】この考案の試作品の画像である。
【考案を実施するための形態】
【００１３】  この考案の一実施形態を、図１に示す。
肩叩き器具の本体１は、ウレタン製ボールであり、この本体１の中心を貫く形で棒２が差し込まれている。  このボール１と棒２の接続部は、プラスチック系の接着剤３により固定されていて、棒２の反対側の端部には、小さな穴を空けてあり、ゴム紐４を輪状にして取り付けている。
【００１４】  図２のように、ボール１の大きさを変えたり、色や絵柄を入れる事で、携帯性や嗜好性を向上させる。  又、棒２の部分に伸縮棒を使用する事で、さらに携帯性を向上させることができる。
【実施形態の効果】
【００１５】  この実施形態によれば、普段の生活の中で、いつでもどこでも肩こりの解消が出来て、どこにでも持って行く事が出来、デザイン的にも廻りの視線を気にする事無く、いつでもどこでも使うことが出来、既存の肩叩き器具に比べて、より高度な実用性を発揮することが出来る。
【他の実施形態】
【００１６】  本来、肩叩き用の器具ではあるが、幼児やペット用のおもちゃに使うことも可能であり、又、絵柄によっては、コレクション的な商品への発展も期待できる。
【符号の説明】
【００１７】１  肩叩き本体ウレタンボール          ２  竹又はプラスチック製の棒状の柄
３  プラスチック系接着剤              ４  ゴム紐輪
【図１】
0003153513.tif 000003
【図２】
0003153513.tif 000004
(57)【要約】      （修正有）【課題】フイギアースケート選手が氷上に浮いているように見える、スケート靴を提供する。【解決手段】スケート靴本体１に、ポリカーボネート等の透明樹脂製靴底２を設ける。そして靴底に、ポリカーボネート等の透明樹脂製の靴支持体３を設ける。さらに靴支持体３にメタルエッジ４を設ける。【選択図】図１
0003153514.tif 000002
【実用新案登録請求の範囲】
【請求項１】
スケート靴本体（１）に、透明樹脂製靴底（２）を設け、また該靴底に透明樹脂製の靴支持体（３）を設け、この靴支持体（３）にメタルエッジ（４）を設けて成る、氷上で浮いて見えるフィギアースケート靴。
【考案の詳細な説明】
【技術分野】
【０００１】  本考案は、スケートリンクを滑っているフィギアーの選手が、空中に浮いているように見えるよう工夫した、スケート靴の技術に関するものである。
【背景技術】
【０００２】  従来、アイススケートは滑る技術で、その美技を表現している。その中でもジャンプに於いては、氷上から足が浮き、空中を飛んでいる状況に観衆は感心している。しかしほとんどは、氷上に着地した状況での美技を見るのは、当然のことである。
【考案の開示】
【考案が解決しようとする課題】
【０００３】  しかしながら、この氷上に着地した滑りは当然ではあるが、何か物足りないものを感じ、考えられる様々な思いの中で、夏など、一般アスファルト道路に走っている車や人が、水の上を走っているように見える、極端に言えば、浮いているように見える現象を確認した。これは道路表面が熱いので、そこから立ち昇る水蒸気の陽炎（カゲロー）の現象により、車や人の足元が透明な揺らぎの層に包まれて、地面より少し浮いて見えるのである。これらは多くの人々が体験している事象である。
【課題を解決するための手段】
【０００４】  この現象をフィギアースケートに思いを巡らして、選手が氷上に少し浮いているように見えると、いかにも幻想的で、その美技もさらに際立ってくるのである。
これらの課題を解決する手段として、選手の足にフィットした、スケート靴本体（１）に、ポリカーボネートを主成分とした、透明樹脂製靴底（２）を設ける。また該靴底に、同じくポリカーボネートを主成分とした、透明樹脂製の靴支持体（３）を設ける。この靴支持体（３）の氷上着地部位側に、メタルエッジ（４）を装着して設ける。
【考案の効果】
【０００５】  ほんの少しの工夫によって、良いデザインを保ちながらも、従来のスケート靴と同じく使い勝手、使用感も良く、特にスケート選手を観戦している人々には、氷上の表面より選手が浮いて滑っているように見えて、なんとも幻想的なムードを体感させてくれる。これは、機械的強度や耐熱性が非常に高く、特に透明性はガラスの１００倍以上もあるポリカーボネートを、スケート靴本体（１）とメタルエッジ（４）の間に使用したからである。
【考案を実施するための最良の形態】
【０００６】  本考案は実施する上で、最良の形態としてはベースとなる、ポリカーボネートを利用した工夫より形成されている。スケート靴本体（１）は従来のもので十分であるが、これも白やグレー系統のものを使用すると、より効果が増すようにみえる。このスケート靴本体（１）に、ポリカーボネートの透明樹脂製靴底（２）を設ける。また該靴底にも同じ、ポリカーボネートの透明樹脂製の靴支持体（３）を設ける。この靴支持体（３）にメタルエッジ（４）を装着して設ける。
以上、このような特徴および構成より成るので、使用実施するときには、【０００７】  従来のフイギアースケート靴として、履いて氷上を滑るだけで良い。このままで特別な事をしなくても、選手は氷上の上に浮いているように、観客からは見えるのである。
【図面の簡単な説明】
【０００８】
【図１】  本考案の説明斜視図である。
【符号の説明】
【０００９】  １  スケート靴本体
２  透明樹脂製靴底
３  靴支持体
４  メタルエッジ
５  浮いて見える
【図１】
0003153514.tif 000003
(57)【要約】【課題】  視覚障害者等用の点字鋲に関し、木製の床面に十分な強度で設置し得る屋内用点字鋲を提供する。【解決手段】  本考案に於いては、視覚障害者等の歩行を誘導するために木製の床面に設置される屋内用点字鋲であって、該点字鋲は設置時に床表面に突出する頭部１と床板に取付するための脚体２とから成り、木材で一体に成形されると共に、該脚体２のみをさらに細く圧縮成型して、該脚体２を床板に設けた取付孔に接着剤を介して嵌入した際に、該脚体２が該接着剤の水分を吸収して膨張し該床板に固着する構造とした。【選択図】図１
0003153510.tif 000002
【実用新案登録請求の範囲】
【請求項１】
視覚障害者等の歩行を誘導するために木製の床面に設置される屋内用点字鋲であって、該点字鋲は設置時に床表面に突出する頭部と床板に取付するための脚体とから成り、木材で一体に成形されると共に、該脚体のみをさらに細く圧縮成型して、該脚体を床板に設けた取付孔に接着剤を介して嵌入した際に、該脚体が該接着剤の水分を吸収して膨張し該床板に固着する構造としたことを特徴とする屋内用点字鋲。
【考案の詳細な説明】
【技術分野】
【０００１】  本考案は、視聴覚障害者等用の点字鋲に関するものである。
【背景技術】
【０００２】  従来より、視聴覚障害者等の歩行を誘導する手段として、道路や床面に点字鋲が使用されている。そして、これらの点字鋲のうち、特に屋内に設置される点字鋲としては、ステンレス、真鍮、アルミ等の金属か、合成樹脂か、あるいは合成ゴムによって形成されているのが一般的である。
【考案の概要】
【考案が解決しようとする課題】
【０００３】  しかしながら、このような点字鋲にあっては、木製の床面に設置する場合に、床材とは全く異なる材質からなる点字鋲の設置となるため、取付部分の接着剤が剥がれて点字鋲が抜けるなど、木製の床面に十分な強度で設置し得ないという問題点を有していた。【０００４】  本考案は、上記従来有する問題点に鑑み、視覚障害者等用の点字鋲に関し、木製の床面に十分な強度で設置し得る屋内用点字鋲を提供しようとするものである。
【課題を解決するための手段】
【０００５】  本考案に於いては、視覚障害者等の歩行を誘導するために木製の床面に設置される屋内用点字鋲であって、該点字鋲は設置時に床表面に突出する頭部１と床板に取付するための脚体２とから成り、木材で一体に成形されると共に、該脚体２のみをさらに細く圧縮成型して、該脚体２を床板に設けた取付孔に接着剤を介して嵌入した際に、該脚体２が該接着剤の水分を吸収して膨張し該床板に固着する構造とした。
【考案の効果】
【０００６】  本考案によれば、取付孔に嵌入接着した点字鋲は床板に固着し、木製の床面に十分な強度で設置することができる。
【図面の簡単な説明】
【０００７】
【図１】  本考案による点字鋲を示す側面図である。
【図２】  図１のＡ−Ｂ矢視断面図である。
【図３】  本考案による点字鋲の脚体の膨張時を想像した図である。
【図４】  本考案による点字鋲を示す平面図である。
【考案を実施するための形態】
【０００８】  以下、本考案の実施の形態について、図面を参照して説明する。
図１に示すように、本考案に於いては、視覚障害者等の歩行を誘導するために木製の床面に設置される屋内用点字鋲であって、該点字鋲は設置時に床表面に突出する頭部１と床板に取付するための脚体２とから成り、木材で一体に成形されると共に、該脚体２のみをさらに細く圧縮成型して、該脚体２を床板に設けた取付孔に接着剤を介して嵌入した際に、図３に示すように、該脚体２が該接着剤の水分を吸収して膨張し該床板に固着する構造とした。
【符号の説明】
【０００９】  １    頭部
２    脚体
【図１】
0003153510.tif 000003
【図２】
0003153510.tif 000004
【図３】
0003153510.tif 000005
【図４】
0003153510.tif 000006
(57)【要約】      （修正有）【課題】スピニングリールの本体に付随される金具部材であるドラグノブの本体内部に、照明装置、及び電気回路を内蔵することにより、照明機能を付加し、現行のリールに付随されるドラグノブと取り替え、釣竿に装着し使用することで、夜間の釣りの際に手元を照らすことができる照明付ドラグノブを提供する。【解決手段】ドラグノブの本体を、上底摘み部１と下底部２とに分割し、螺合にて着脱可能となる本体の上底摘み部の中空に、電池収納室６、照明部、ＯＮ，ＯＦＦスイッチ９を設け配線し、内部中央に電導板体を有し電池収納室の底蓋となる本体下底部を、本体上底摘み部に螺合することにより、電池収納室内部に有する電極と底蓋内部の電導板体１０を接合せしめ通電状態となりＯＮ，ＯＦＦスイッチにて発光体５を点灯、或いは消灯せしめるように構成する。【選択図】図３
0003153569.tif 000002
【実用新案登録請求の範囲】
【請求項１】
スピニングリールのスプール軸の先端に系止される金具部材であるドラグノブの本体を、上底摘み部と押圧系止ナット部を有する下底部とに分割し、双方、互いに施された螺子部にて螺合せしめることにより着脱可能に一体となりうるところを特徴とする照明付ドラグノブ。
【請求項２】
ドラグノブ本体の中空に、乾電池を電源とする照明装置、及び電気回路を設け、
照明機能を付加し兼ね備えたところを特徴とする請求項１記載の照明付ドラグノブ。
【考案の詳細な説明】
【技術分野】
【０００１】
本考案は、スピニングリールの本体に系着されるスプールを、スプール軸を介し螺合にて着脱自在に押圧系止せしめるドラグノブの本体中空に、乾電池を電源とする照明装置を内蔵することにより、照明器具としての機能も兼ね備え使用することのできるドラグ螺子に関するものである。
【背景技術】
【０００２】
従来のドラグノブの使用形態は、スピニングリールのスプール軸の先端に螺合され、スプールに掛かるドラグ力を押圧調整し、系止せしめる金具部材であり、本体内部に照明装置、及び電気回路を内蔵することで照明器具としての用途を付加し、夜間釣りでの餌付けの際に手元等を照らすことのできるものはなかった。
【０００３】
また、特許文献１で開示されるように、釣竿本体に照明装置、及び電気回路を内蔵したものがあるが、釣竿自体に内蔵される為、照明部を着脱し、他の釣竿に用いて装着することが不可能であり、或いは、特許文献２で開示されるように、スプール本体に発光体を取り付け、魚の引きによりスプールが逆回転する状態の動きが見えることで魚の掛かりを報知するものがあるが、手元を照らす照明具として使用されるものではない(下記特許文献参照)。
【０００４】
【特許文献１】特開２０００−１４２７９号
【特許文献２】特許３９４２８２１号
【考案の開示】
【考案が解決しようとする課題】
【０００５】
前述のように、従来のドラグノブの使用形態であるスピニングリールのスプール軸の先端に螺合され、スプールに掛かるドラグ力を押圧調整し、系止される金具部材としての機能の他に、本体内部に、照明装置、及び電気回路を内蔵することにより、新たな用途付加し利便性を高めようとするものである。
【課題を解決するための手段】
【０００６】
本考案は、スピニングリールのスプール軸の先端に螺合される金具部材であり、かつ電源装置を内蔵したものであるから、本体を構成する上での材質は絶縁加工を施した合成樹脂などの強度が確保できる素材が好ましく、用いられる発光体としては、ＬＥＤ、豆電球などが挙げられ、また発光体の電源としては、ボタン電池などの小型なものを使用することで上記課題を解決しょうとするものである。
【考案の効果】
【０００７】
上述のように、本考案の照明付ドラグノブは、スプール軸の先端に螺合され、スプールに掛かるドラグ力を押圧調整し、系止される金具部材として使用できることは勿論のこと、照明装置を内蔵したことで夜間の釣りに於いて必要となる懐中電灯、或いはヘッドライト等を携行しなくても手元での餌付けや、足元を照らすことができ便利である。
【考案を実施するための最良の形態】
【０００８】
以下、添付図面に従って一実施例を示し、本考案の照明付ドラグノブの構成と使用形態を説明する。
【実施例】
【０００９】
本考案は、ドラグノブ本体を上底摘み部１と下底部２とに分割し、上底雌螺子部１ａ  と下底雄螺子部２ａを螺合せしめることにより着脱可能となる本体上底摘み部１の中空に、電極端子７、８を有する円柱状の電池収納室６と、一部開口される本体摘み部の外壁にレンズ３を嵌め込み、対面する内壁に反射板４と発光体５を有する照明部を設け、レンズ３側と対面する本体摘み部の外壁にはＯＮ，ＯＦＦスイッチ９を設け配線し、電池収納室６にボタン電池１１を電極に従い挿入し、電池収納室６の底蓋となり電導板体１０を内底に有する底蓋６ａを設けた本体下底部２を本体上底部１に螺子部１ａ、２ａを介して螺合することにより、電池収納室６の内部に有する電極端子８と底蓋６ａの内底に有する電導板体１０を接合せしめ通電状態となる照明装置をＯＮ，ＯＦＦスイッチにて点灯、或いは消灯せしめるものであり、また本体上底摘み部１と下底雄螺子部２を螺子合せしめる際に、防水ゴムパッキン１２を間に挟むことで隙間からの浸水を防ぐことができる。
【００１０】
本考案の一実施例は上述の構成からなるものであるから、現行のスピニングリール１３の本体に、系着されるスプール１４に、スプール軸１５を介し、ドラグノブの本体下底部２に有する押圧系止ナット部２ｂを螺合せしめ使用するものである。
【図面の簡単な説明】
【００１１】
【図１】本考案の照明付ドラグノブをリール本体のスプール軸に螺合し系着した状態を示す一部切欠透視平面図である。
【図２】本照明付ドラグノブを横から見た状態を示す透視平面図である。
【図３】本本照明付ドラグノブの本体上底部、下底部の螺合を解き内部の詳細な構成を示すＡ−Ａに沿った断面図である。
【図４】本照明付ドラグノブの上底部を裏から見た状態の内部の構成を示す一部透視図面である。
【図５】本照明付ドラグノブを上から見た状態を示す平面図である。
【符号の説明】
【００１２】
１  本体上底摘み部
１ａ  上底雌螺子部
２  本体下底部
２ａ  下底雄螺子部
２ｂ  押圧系止ナット部
３  レンズ
４  反射板
５  発光体
６  電池収納室
６ａ  電池収納室底蓋部
７  電極プラス側端子
８  電極マイナス側端子
９  スイッチ
１０  電導板体
１１  ボタン電池
１２  防水ゴムパッキン
１３  リール本体
１４  スプール
１５  スプール軸
【図１】
0003153569.tif 000003
【図２】
0003153569.tif 000004
【図３】
0003153569.tif 000005
【図４】
0003153569.tif 000006
【図５】
0003153569.tif 000007
(57)【要約】      （修正有）【課題】結合部が緊密で緩みにくい簡易ほうき結合装置を提供する。【解決手段】簡易ほうき結合装置は、主に、連接ヘッド２と柄３とからなり、連接ヘッド底端はブラシ２０を設置し、頂端は連接部２１を延伸する。連接部内側底端に槽孔２１１を有し、柄底端両側にフック３０を形成し、槽孔により連接部と柄が定位し、更に、フック中央の係合ブロック３１により、連接部と柄を緊密に固定して、連接ヘッドと柄が緊密に連結して緩まず、使用が便利で、実用的である。【選択図】図２
0003153587.tif 000002
【実用新案登録請求の範囲】
【請求項１】
簡易ほうき結合装置であって、主に、連接ヘッドと柄とからなり、その特徴は、前記連接ヘッド頂端は連接部を延伸すると共に、前記連接部底端に槽孔を有し、前記柄底端両側はフックを設置し、中央に係合ブロックを形成し、前記係合ブロックを圧制することにより、前記フックを前記槽孔内に下降させると共に、前記フックと前記連接部の係合端が結合することを特徴とする簡易ほうき結合装置。
【請求項２】
前記柄の係合ブロックは撓性を有することを特徴とする請求項１に記載の簡易ほうき結合装置。  
【請求項３】
前記フックと前記係合ブロックは凹槽を形成していることを特徴とする請求項１に記載の簡易ほうき結合装置。
【考案の詳細な説明】
【技術分野】
【０００１】
本考案は、簡易ほうき結合装置に関するものであって、特に、連接部が槽孔を有し、柄のフックと定位し、係合ブロックにより連接部と柄を緊密に結合した簡易ほうき結合装置に関するものである。
【背景技術】
【０００２】
公知のほうきが図１で示され、ほうきは、ブラシ体１と柄１１とを結合してなる。ブラシ体１上端はジョイント１０を設置し、ジョイント１０内は内螺紋１０１を有する。柄１１は棒状で、前端は、内螺紋１０１と螺合する外螺紋１１１を有する。内螺紋１０１と外螺紋１１１を螺合することにより、ブラシ体１と柄１１を結合して使用するが、このような螺紋結合は、一定時間使用すると、ブラシ体１のジョイント１０が緩みやすく、螺紋１０１、１１１も損耗して、損壊したり、ギャップが生じて、ブラシ体１と柄１１の結合が緊密でなくなり、使用が不便である。
【考案の概要】
【考案が解決しようとする課題】
【０００３】
本考案は、簡易ほうき結合装置を提供し、上述の問題を改善することを目的とする。
【課題を解決するための手段】
【０００４】
本考案の簡易ほうき結合装置は、主に、連接ヘッドと柄とからなり、連接ヘッド頂端は連接部を延伸すると共に、連接部内側底端に槽孔を有し、柄底端は左右両側にフックを形成し、連接部の槽孔により柄のフックと定位し、更に、フック中央は、撓性のある係合ブロックを有し、連接ヘッドと柄を緊密に固定するので、連接ヘッドと柄が緊密に連結して緩まず、長期使用でも、連接ヘッドと柄が脱離しない。
【考案の効果】
【０００５】
本考案により、公知のブラシと柄の連結が緩む問題を改善する。
【図面の簡単な説明】
【０００６】
【図１】公知のほうきの立体図である。
【図２】本考案のほうきの立体分解図である。
【図３】本考案のほうきの立体図である。
【図４】本考案の連接ヘッドの局部断面図である。
【図５】本考案の柄を挿入した状態を示す断面図である。
【図６】本考案の係合ブロックが連接部底端で抵止する状態を示す図である。
【図７】本考案のフックの係合時の状態を示す図である。
【図８】本考案の未施力結合時の側面断面図である。
【図９】本考案の施力結合時の側面断面図である。
【考案を実施するための形態】
【０００７】
まず、図２は、本考案の立体分解図で、主に、連接ヘッド２と柄３からなり、連接ヘッド２底端はブラシ２０を設置し、頂端中央は連接部２１を延伸する。連接部２１内側底端の両側辺は槽孔２１１を有する。柄３は棒状で、底端の左右両側にフック３０を形成している。フック３０の幅は柄３より若干広く、且つ、柄３底端中央に係合ブロック３１を延伸する。係合ブロック３１はフック３０と揃っていて、係合ブロック３１とフック３０間に凹槽３２を形成する。
続いて、図２と図３を参照する。本考案の組み立て時、柄３を下向けに施力して、連接ヘッド２と連接させ、このとき、柄３を連接ヘッド２の連接部２１に挿入し、柄３のフック３０を、連接部２１の槽孔２１１の位置と対応させて、更に、下向けに軽く施力して、連接ヘッド２と柄３を結合すれば、ほうき４の組み合わせが完成する（図３で示される）
この他、図４は、本考案の連接ヘッドの局部断面図で、連接ヘッド２の連接部２１内側底端両側にL字形槽孔２１１を設置し、柄３のフック３０と結合する。柄３を下向けに連接部２１に挿入するとき、柄３のフック３０が圧迫を受けて、凹槽３２を圧制し（図５で示される）、係合ブロック３１が連接部２１底端に抵止するとき、両側のフック３０が同様に圧迫されて、槽孔２１１上方に位置する（図６で示される）。この時、下向けに施力を継続すると、係合部３１が圧迫を受けて、撓性により湾曲し、フック３０は槽孔２１１に下降すると共に、フック３０が連接部２１の圧制から解放されて、撓性により回復すると共に、係合端２１２で係止し（図７で示される）、連接ヘッド２と柄３がしっかりと結合される。
最後に、図８は本考案の局部側面断面図で、柄３を下向けに施力して、且つ、連接部２１と結合するとき、柄３の係合ブロック３１とフック３０が揃っていて、柄３の係合ブロック３１が連接部３１底端に接触するとき、フック３０が槽孔２１１に挿入されていないので、更に施力し、柄３の係合ブロック３１が撓性により、左側か右側にシフトし（図９で示される）、柄３の係合ブロック３１のシフトにより、柄３のフック３０が継続して下向けに、槽孔２１１に挿入され、フック３０が連接部２１の圧制から解放され、撓性により係合端２１２上に係止する（図７で示される）。
本考案の実際の使用時に、以下のような長所がある。（一）本考案は、連接ヘッド２と柄３とを組み合わせてなり、包装が簡単で、運送上、空間を占有しないので、コストダウンが可能である。（二）本考案は、フック３０と係合ブロック３１が連接部２１に緊密に連結されるので、連接ヘッド２と柄３の結合が強く、緩まない。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
ブラシ体１
連接ヘッド２
柄３
ほうき４
ジョイント１０
柄１１
内螺紋１０１
外螺紋１１１
ブラシ２０
連接部２１
槽孔２１１
係合端２１２
フック３０
係合ブロック３１
凹槽３２
【図１】
0003153587.tif 000003
【図２】
0003153587.tif 000004
【図３】
0003153587.tif 000005
【図４】
0003153587.tif 000006
【図５】
0003153587.tif 000007
【図６】
0003153587.tif 000008
【図７】
0003153587.tif 000009
【図８】
0003153587.tif 000010
【図９】
0003153587.tif 000011
(57)【要約】      （修正有）【課題】導磁層の結合により、熱が、十分、快速に、鍋具本体内部に伝達され、調理時間を短縮することができ、また、快速に温度上昇させることができ、本体が焼けにくい導磁鍋具構造を提供する。【解決手段】導磁鍋具構造は、鍋具本体からなり、鍋具本体は、底部に導磁層を設置し、導磁層の外縁に、内、外フレームを設け、外フレームの表面に複数のノッチを設置する。これにより、鍋具全体の密度を強化し、鍋具の品質を向上させ、伝熱効果を高め、熱量が導磁層により十分、快速に、鍋具本体内部に伝達され、調理時間を短縮する。この他、導磁層は、鍋具本体の火による加熱や電磁式による加熱に有利で、快速に温度上昇させると同時に、鍋具本体も焼けにくい。【選択図】図１
0003153061.tif 000002
【実用新案登録請求の範囲】
【請求項１】
導磁鍋具構造であって、鍋具本体からなり、前記鍋具本体は、底部に導磁層を設置し、前記導磁層の外縁に、内、外フレームを繞設し、前記外フレームの表面に複数のノッチを設置することを特徴とする導磁鍋具構造。
【請求項２】
前記導磁層は複数の円形線状紋を有し、外側に放射状に拡張していることを特徴とする請求項１に記載の導磁鍋具構造。  
【請求項３】
前記導磁層は、セラミック、ガラス、純鉄、低炭素鋼、中炭素鋼、或いは、導磁性のあるステンレス等の材質からなることを特徴とする請求項１に記載の導磁鍋具構造。
【請求項４】
前記鍋具本体の外側に少なくとも一層の粗雑面を噴霧し、前記粗雑面により前記導磁層を前記鍋具本体に緊密に付着させることを特徴とする請求項１に記載の導磁鍋具構造。
【請求項５】
前記鍋具本体の内側表面に、不粘材料層を噴霧することを特徴とする請求項１に記載の導磁鍋具構造。
【考案の詳細な説明】
【技術分野】
【０００１】
本考案は、導磁鍋具構造に関するものであって、特に、電磁効果により加熱する導磁可能な鍋具に関するものである。
【背景技術】
【０００２】
IH調理器は、現代の生活において不可欠な家電の一つとなっていて、底部に導磁性のある鍋を使用して、加熱調理するものである。この種の鍋は、全ステンレス製鍋か、多層の金属性複合底構造のアルミ鍋である。アルミ合金鋳造鍋、セラミック鍋は導磁性がなく、火で直接加熱するか、電熱管により加熱することしかできない。全ステンレス製鍋の底部は薄く、炒める時に、焦げやすく、アルミ合金鋳造鍋、セラミック鍋の底部は厚く、熱伝導が均一で、焦げにくいという特徴がある。
また、多層の金属性複合底構造のアルミ鍋は、ステンレス板を金型に置き、加圧して、所定形状に延展し、公知の溶接、熱圧、或いは、その他の方式で、導磁性のあるステンレス片をアルミ鍋底部に嵌設し、後続の加工を経て完成する。しかし、この種の方式は、コストが高く、効率が低く、且つ、結合効果が悪く、アルミ鍋本体との密合性が悪いので、その品質は、高硬度、高密度の要求を満たすことができず、鍋具の導磁効果に間接的に影響する。
【考案の概要】
【考案が解決しようとする課題】
【０００３】
本考案は、導磁鍋具構造を提供し、上述の問題を改善することを目的とする。
【課題を解決するための手段】
【０００４】
上述の目的を達成するため、本考案の導磁鍋具構造は、鍋具本体からなり、鍋具本体は、底部に導磁層を設置し、導磁層の外縁に、内、外フレームを繞設し、外フレームの表面に複数のノッチを設置する。これにより、本考案の構造は、鍋具全体の密度を強化し、鍋具の品質を向上させ、伝熱効果を高め、熱量が導磁層により十分、快速に、鍋具本体内部に伝達され、調理時間を短縮する。この他、導磁層は、鍋具本体の火による加熱や電磁式による加熱に有利で、快速に温度上昇させると同時に、鍋具本体も焼けにくい。
本考案の導磁鍋具構造は、火による加熱や電磁式で加熱する導磁鍋具で、鍋具本体の底部に導磁層を設置し、導磁層は複数の円形線状紋を有し、且つ、外向けに放射状に拡張する。導磁層は、純鉄、低炭素鋼、中炭素鋼、或いは、導磁性のあるステンレス等の材質からなり、鍋具本体が快速に温度上昇し、焼けにくい。
【考案の効果】
【０００５】
本考案は、導磁層の結合により、熱が、十分、快速に、鍋具本体内部に伝達され、調理時間を短縮することができ、また、快速に温度上昇させることができ、本体が焼けにくい。
【図面の簡単な説明】
【０００６】
【図１】本考案の立体分解図である。
【図２】本考案の立体図である。
【図３】本考案の底部構造図である。
【図４】本考案の底部外フレーム拡大図である。
【考案を実施するための形態】
【０００７】
図１は、本考案の立体分解図である。本考案の導磁鍋具構造は、鍋具本体１からなり、鍋具本体１は、底部に導磁層２０を設置し、導磁層２０の外縁に、内、外フレーム１３を繞設し、外フレーム１３の表面に複数のノッチ１４を設置する。鍋具本体１の外側は、少なくとも一層の粗雑面１１を噴霧し、粗雑面１１により、導磁層２０を鍋具本体１に緊密に結合することができる。
図２は本考案の立体図であり、鍋具本体１内側表面に不粘材料層１２を噴霧している。図３は本考案の底部構造図であり、図から分かるように、本考案の鍋具本体１底部は、導磁層２０を結合し、導磁層２０は複数の円形線状紋を有し、且つ、外向けに放射状をなしている。導磁層２０はセラミック、ガラス、純鉄、低炭素鋼、中炭素鋼、或いは、導磁性のあるステンレス等の材質からなる。導磁層２０により、熱が、十分、快速に、鍋具本体１内部に伝達され、調理時間を短縮することができる。
図４は、本考案の底部外フレーム拡大図である。導磁層２０の外縁は、外フレーム１３を繞設し、外フレーム１３の表面に複数のノッチ１４を設置する。熱源が鍋具本体１底部を加熱するとき、ノッチ１４は適時に散熱効果を達成して、鍋具本体１の加熱時に、熱が均一に伝達される。
本考案の鍋具の製造方法は以下のようなステップからなる。
１．金型により鍋具本体を成型する。
２．鍋具底部表面に粗雑面を加工する。
３．鍋具底部の粗雑面を加工処理後、粗雑面外側表面に導磁層を均一に付着させる。
本考案により、以下のような長所が得られる。
１．導磁層の結合により、熱が、十分、快速に、鍋具本体内部に伝達され、調理時間を短縮する。
２．火による加熱や電磁式で加熱する導磁性鍋具は、快速に温度上昇させることができ、本体が焼けにくい。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
鍋具本体１
粗雑面１１
不粘材料層１２
内、外フレーム１３
ノッチ１４
導磁層２０
【図１】
0003153061.tif 000003
【図２】
0003153061.tif 000004
【図３】
0003153061.tif 000005
【図４】
0003153061.tif 000006
(57)【要約】【課題】泌尿器検査のように天板端より被検者にアクセスする際の作業性が良好で、安全かつ効率よく検査を行うことができるＸ線透視撮影台用天板を提供する。【解決手段】例えば泌尿器検査のために被検者Ｍが載置される天板３は、支柱５により支持されたコリメータ４を備えたＸ線管１と、例えばＦＰＤで構成される受像部２との間に配設され、長手方向左端の上方かどが直角ではなくＣ面で形成されている構造である。したがって、術者Ｄは天板３の長手方向左端の上方かどに妨げられることなく被検者Ｍにアクセスできる。【選択図】          図１
0003153035.tif 000002
【実用新案登録請求の範囲】
【請求項１】
Ｘ線管と受像部との間に配設され、被検者を載置して透視撮影が行われるＸ線透視撮影台用天板において、前記Ｘ線透視撮影台用天板の上面における長手方向端部とその端部から垂直な面で形成される角部をなくしたことを特徴とするＸ線透視撮影台用天板。
【請求項２】
なくした角部に傾斜面を形成したことを特徴とする請求項１記載のＸ線透視撮影台用天板。
【請求項３】
なくした角部に多角形の面が形成されていることを特徴とする請求項１記載のＸ線透視撮影台用天板。
【請求項４】
なくした角部に円弧状の面が形成されていることを特徴とする請求項１記載のＸ線透視撮影台用天板。
【請求項５】
なくした角部にＣ面が形成されていることを特徴とする請求項１記載のＸ線透視撮影台用天板。
【考案の詳細な説明】
【技術分野】
【０００１】
本考案は、Ｘ線透視撮影台に係り、特に被検者を載置し泌尿器検査をする際の操作性良好な天板の形状に関する。
【背景技術】
【０００２】
Ｘ線透視撮影台は、胃部Ｘ線検査を主体とした上部消化管検査に主眼を置きながら、１台で注腸（大腸）、泌尿器系、胸部内視鏡検査や神経系などの多様な診断目的に利用され、多目的撮影台として使用されている。
【０００３】
前記Ｘ線透視撮影台は、Ｘ線管が天板より離れた位置にあるため、天板の上部空間が大きく、被検者の観察も容易であり、被検者の体位変換なども行いやすい。また、装置の動作時、被検者とＸ線管との干渉にあまり注意を払わなくてもよいため、診断効率もよい。
【０００４】
また、Ｘ線透視撮影台の奥側から、術者が天板上に載置された被検者にアプローチする際に、術者と天板との距離を近くして、診断上の処置作業を行い易くしたＸ線透視撮影台が提案されている（特許文献１参照）。
【０００５】
一方、Ｘ線透視撮影台用天板は、溝のない一体成形品からなる構造を有しており、汚物源が溝内に付着することがなく、被検者と接する天板は清掃が容易で常に清潔に保つことが可能である（特許文献２参照）。該天板の長手方向の両端は、通常直角に切り落とされた形状である。
【０００６】
Ｘ線透視撮影台を泌尿器検査に使用する場合、図２に示すとおり、被検者Ｍは天板２３の長手方向の端近傍に載置される。しかし、Ｘ線管１と受像部２の移動範囲に制限があり、術者Ｄが観察する必要がある部位は受像部２の位置に応じて天板２３の長手方向の端から奥になる。
【先行技術文献】
【特許文献】
【０００７】
【特許文献１】特開２００２−２９１７２５号公報
【特許文献２】特開平１０−１１３３４６号公報
【考案の概要】
【考案が解決しようとする課題】
【０００８】
上述のように被検者Ｍは天板２３の端から少し奥に載置する必要があるため、術者Ｄが被検者Ｍの観察部位にアクセスする際、図２に示すとおり、術者Ｄの腕や道具が天板２３の端の上面角部に当たり作業の妨げとなる。
【課題を解決するための手段】
【０００９】
本考案は、Ｘ線管と受像部との間に配設され、被検者を載置して透視撮影が行われるＸ線透視撮影台用天板において、前記Ｘ線透視撮影台用天板の上面における長手方向端部とその端部から垂直な面で形成される角部をなくしたものである。しかも、なくした角部に傾斜面、多角形の面、円弧状の面あるいはＣ面が形成されている。したがって、泌尿器検査に際し天板の上面における長手方向端部の角部による作業の妨げは緩和される。
【考案の効果】
【００１０】
泌尿器検査のように天板端より被検者にアクセスする際の作業性が向上し、安全かつ効率よく検査を行うことができる。また、泌尿器検査の専用機と同等の作業性を有する多目的Ｘ線透視撮影台を供給可能である。
【図面の簡単な説明】
【００１１】
【図１】本考案の実施例によるＸ線透視撮影台用天板の構造を示す図である。
【図２】従来のＸ線透視撮影台用天板の構造を示す図である。
【考案を実施するための形態】
【００１２】
本考案の実施例によるＸ線透視撮影台用天板は、Ｘ線を曝射するＸ線管と透過Ｘ線を画像化する受像部との間に配設され、被検者を載置する構造を有し、Ｘ線透視撮影台の構成要素の一つである。
【実施例】
【００１３】
本考案の実施例によるＸ線透視撮影台用天板について、図１を参照して説明する。図１は、本考案の実施例によるＸ線透視撮影台用天板（以下天板３という）の構造を示す図である。図１において、例えば泌尿器検査のために被検者Ｍが載置される天板３は、支柱５により支持されたコリメータ４を備えたＸ線管１と、例えばＦＰＤで構成される受像部２との間に配設され、長手方向左端の上方かどが直角ではなくＣ面で形成される構造である。
【００１４】
Ｘ線管１を支持する支柱５と受像部２は移動可能に保持されているが、受像部２の移動範囲に制限があり、術者Ｄが観察する必要がある部位は受像部２の位置に応じて天板３の長手方向の端から奥になる。
【００１５】
本考案は以上の構造であるから、泌尿器検査のように術者Ｄが天板３の左端より被検者Ｍにアクセスする際、観察を必要とする部位が奥に位置していても天板３の左端上方かどがＣ面で形成されているため作業性が良好で、安全かつ効率よく検査を行うことができる。
【００１６】
図に示す実施例においては、天板３の長手方向の一端の上方かどがＣ面で形成される構造であるが、両端の上方かどがＣ面で形成される構造でも本考案は適用可能である。また、Ｃ面で形成される構造の代わりに傾斜面、多角形の面あるいは円弧状の面で形成される構造でもよい。上述のとおり本考案は図示例に限定されるものではなく種々の変形例を包含する。
【産業上の利用可能性】
【００１７】
本考案は、Ｘ線透視撮影台に係り、特に被検者を載置し泌尿器検査をする際の操作性良好な天板の形状に利用の可能性がある。
【符号の説明】
【００１８】
１  Ｘ線管
２  受像部
３  天板
４  コリメータ
５  支柱
２３  天板
Ｄ  術者
Ｍ  被検者
【図１】
0003153035.tif 000003
【図２】
0003153035.tif 000004
(57)【要約】      （修正有）【課題】窓枠の大きさに関係なく幅を調節でき、取り付け設置も簡単に、しかも外視からプライバシーも守りながらに室内に風を取り入れることができる窓遮蔽物隙間枠を提供する。【解決手段】軽量パイプ１，２，３，４を折り曲げて長方形の枠を形成し、枠の長手の一辺の軽量パイプに接着テープ７を設け窓上部より吊り下がる窓遮蔽物１４の下部に接着テープ１５を設けて、枠の長手の他辺を窓の下部に取り付けて、枠に設けた接着テープ７と窓遮蔽物１４の下部に設けた接着テープ１５を合わせて取り付ける。【選択図】図４
0003153096.tif 000002
【実用新案登録請求の範囲】
【請求項１】
軽量パイプからなる長方形の一辺  図１、図２の７にはく離可能な接着テープを設置し、窓遮蔽物（カーテン、ブラインド、ロールスクリーン）等の下部外側にも図４の１５に、はく離可能な接着テープを設置してなる窓遮蔽物隙間枠。
【請求項２】
窓遮蔽物隙間枠図１の５，６・８，９を伸縮自由にすることにより、あらゆる窓枠の大きさ、出具合にも対応できる上記請求項１記載における窓遮蔽物隙間枠。
【考案の詳細な説明】
【技術分野】
【０００１】  本考案は軽量パイプ又は、はく離可能な接着テープからなる窓遮蔽物隙間枠に関する。
【背景技術】
【０００２】  一般的にアルミサッシガラス戸の網戸にての開放状態において外視からのプライバシーを守るため、又外光が入らないように窓の内側に遮蔽物（カーテン、ブラインド、ロールスクリーン）等が吊り下げられている。【０００３】  従来より室内側、室外側ガラス障子からなる二重構造のアルミサッシやカーテンウオ−ル等の窓部においてこれら上枠および下枠に室内側通気口および室外側通気口を設け一方を閉塞し、他方を二重窓の内側部分と導通させる切換扉を備えた方法が開示されている。（たとえば特許文献１参照）【０００４】  これら換気装置を設け通風口より開閉する設備は仕組みが複雑で設備費用また設備も大掛かりであった。
【先行技術文献】
【特許文献】
【０００５】
【特許文献１】  特開２００３−３１４１５４号公報
【考案の概要】
【考案が解決しようとする課題】
【０００６】  アルミサッシガラス戸を網戸にて開放状態にし、遮蔽物（カーテン、ブラインド、ロールスクリーン）等を使用すると室内の空気（風）の流れが悪く、一般家庭に設置されているレースのカーテンに至っては少しは風の流れが得られるものの外視からのプライバシーを守ることは不可能だった。【０００７】  従来窓と遮蔽物（カーテン、ブラインド、ロールスクリーン）との間に風を得られる為には大掛かりな機部材等を取り付けるしか方法がなく、仕組みが複雑で設備及び設備費とも一般的に購入設置することも困難であった。【０００８】  本考案は窓枠の大きさに関係なく幅を調節でき、取り付け設置も簡単に、しかも外視からプライバシーも守りながらに室内に風を取り入れることができる窓遮蔽物隙間枠を提供することを目的とする。
【課題を解決するための手段】
【０００９】  本考案の請求項１に記載された窓遮蔽物隙間枠は窓部を遮蔽する遮蔽物（カーテン、ブラインド、ロールスクリーン）等の下部に簡単に取り付けられ、二箇所以上設けることにより、より一層室内に風の流れが生まれる。【００１０】  本考案の請求項２に記載された窓遮蔽物隙間枠は窓枠の幅に合わせ伸縮自由にすることにより、窓枠内に設けられた網戸の幅が変わっても自由に幅が得られ簡単に室内に風を入れることができ上記課題を解決するものである。
【考案の効果】
【００１１】  本考案の窓遮蔽物隙間枠は大掛かりな設置を必要とせず  軽量パイプを使用しているため簡単に、しかも安価にどの窓枠、遮蔽物（カーテン、ブラインド、ロールスクリーン）にも関係なく設置できる。特に一般家庭に見られるレースカーテン、ブラインド等では夜間少しは風の流れが得られるものの外視からのプライバシーは守れなった。窓遮蔽物隙間枠を設置することにより厚地のカーテン、ブラインドを閉鎖した状態でも風の流れが得られ、特に夜間プライバシーを守れる特長があり夏の夜のＥＣＯ対策としても有効である。
【図面の簡単な説明】
【００１２】
【図１】  本考案に係る窓遮蔽物隙間枠を構成する平面図である。
【図２】  本考案に係る窓遮蔽物隙間枠を構成する正面図である。
【図３】  本考案に係る窓遮蔽物隙間枠を構成する側面図である。
【図４】  本考案に係る窓遮蔽物隙間枠の立体図及び工程図である。
【考案を実施するための形態】
【００１３】  図１に示すように軽量パイプを組み合わせ  伸縮自由な長方形からなり軽量パイプ２，３，に、はく離可能な接着テープを７の位置にそれぞれ二箇所設置する。
【００１４】  図４に示すように窓遮蔽物（カーテン、ブラインド、ロールスクリーン）等の下部外側１４にも、はく離可能な接着テープを１５に二箇所設置する。
【００１５】  上記工程により窓遮蔽物（カーテン、ブラインド、ロールスクリーン）等と窓遮蔽物隙間枠を図４のように配置し上記テープ７と１５を合わせ接着し使用する。
【産業上の利用可能性】
【００１６】  日ごろ地球温暖化によるＥＣＯ対策、ＥＣＯ商品が話題にあがっている。夏の日中は冷房設備の中で仕事に生活にと暮らしている時間が長いこともあり夜間だけでもできるだけ冷房は避けたいと思っている人々は多い。夏の夜、室内はかなり温度が上がっていても  室外の夜風は以外と涼しい、この自然の夜風を室内に取り入れられる窓遮蔽物隙間枠の利用はかなり高い可能性があると思われる。
【符号の説明】
【００１７】  １  …  軽量パイプ大
２  …  軽量パイプ小
３  …  軽量パイプ大
４  …  軽量パイプ小
７  …  接着テープ
１０  …  窓遮蔽物（カーテン、ブラインド、ロールスクリーン）等取り付け金具
１１  …  アルミサッシ外枠
１２  …  網戸
１３  …  ガラス戸
１４  …  窓遮蔽物（カーテン、ブラインド、ロールスクリーン）
１５  …  接着テープ
【図１】
0003153096.tif 000003
【図２】
0003153096.tif 000004
【図３】
0003153096.tif 000005
【図４】
0003153096.tif 000006
【手続補正書】
【提出日】平成21年5月27日(2009.5.27)
【手続補正１】
【補正対象書類名】実用新案登録請求の範囲
【補正対象項目名】全文
【補正方法】変更
【補正の内容】
【実用新案登録請求の範囲】
【請求項１】
軽量パイプ（１，２，３，４）を折り曲げて長方形の枠を形成し、枠の長手の一辺の軽量パイプに接着テープ（７）を設け窓上部より吊り下がる窓遮蔽物（１４）の下部に接着テープ（１５）を設けて、枠の長手の他辺を窓の下部に取り付けて、枠に設けた接着テープ（７）と窓遮蔽物（１４）の下部に設けた接着テープ（１５）を合わせて取り付けるようにした窓遮蔽物隙間枠。
【請求項２】
軽量パイプ大（１，３）と軽量パイプ小（２，４）とを折り曲げ、軽量パイプ大（１，３）内を軽量パイプ小（２，４）がスライドするようにして長方形の枠とし、長方形の枠の大きさを伸縮自在としたことを特徴とする請求項１記載の窓遮蔽物隙間枠。
(57)【要約】      （修正有）【課題】家計簿の記帳が長く続けられ、家計全体のお金の流れがわかるようになる簡易家計簿を提供する。【解決手段】家計記帳欄は１ヶ月２ページのみにする。そして仕切りがなく自分で項目を設定し大まかに記帳することとする。また、月の目標、その月の出来事欄４も作り、どんな１ヶ月であったか、お金だけでなく夢、目標の欄１，２を別に設け生活全体を振り返ることができるように構成する。【選択図】図２
0003153091.tif 000002
【実用新案登録請求の範囲】
【請求項１】
夢、目標の記入欄を１ページ設ける
【請求項２】
開いた２ページで１ヶ月間の目標、出来事  家計が記入できる。
家計記帳は自分で設定できる仕切りのない自由欄とする。
【考案の詳細な説明】
【技術分野】
【０００１】  本考案は、自分の夢、目標を記入するページを持ち、１ヶ月の家計を２ページにまとめて記帳できる簡単な家計簿に関するものである。
【背景技術】
【０００２】  今までの家計簿は詳しく記入するものであったり、記帳はしたものの全体を把握しにくいもので、長続きしなかった。また従来の家計簿は反省して家計を見直すという作業になってくるので楽しく記帳できなかった。
【考案の開示】
【考案が解決しようとする課題】
【０００３】  家計簿でのお金の流れを見るには、まず長く続けることである。そして長く続けるには簡単であること。そしてその１ヶ月全体が見えることである。
また、夢を書く欄があることにより希望が出てくることで前述の欠点を解決しようとするものである。
【課題を解決するための手段】
【０００４】  本考案は家計記帳欄は１ヶ月２ページのみにする。そして仕切りがなく自分で項目を設定し大まかに記帳することとする。また、月の目標、その月の出来事欄も作り、どんな１ヶ月であったかお金だけでなく全体を振り返ることができる。
そして、夢、目標のページを別に設けるなどにより問題点を解決している。
【考案の効果】
【０００５】  上述の様に、記帳が簡単なので長く続く、そうするとその月々のお金の流れが見えてきて、結果出費の多い所がわかり節約につながる。小さな目標やその月の出来事も書いてあるので振り返ってどんな月であったかも思い出せる。大きな夢、目標小さな目標を書いたり見たりすることで夢に近づくことができる。
【考案を実施するための最良の形態】
【０００６】  家計記帳は従来ある食費、生活雑貨費、衣服費などの項目の他趣味  ペット、ガーデニング  などの項目を作って記入するとより自分の生活に密着した家計簿になる。行はそれぞれ必要に応じてきめる。
【実施例】
【０００７】  食費は大雑把に店名を書き金額を記入、外食にどのくらい使っているか知りたい場合は外食の項目を作る。医療費は一ヶ月の合計がすぐに出るので確定申告に役立つ。その他  趣味、子供の名前、ペット、ガーデニングなど項目を作って自由に記入する。
【図面の簡単な説明】
【０００８】
【図１】  本考案の夢、目標欄である。
【図２】  １ヶ月の家計記入ページである。
【符号の説明】
【０００９】１  夢の記入欄
２  目標の記入欄
３  今月の目標欄
４  今月の出来事欄
５  家計記入欄
６  収入記入欄
７  定期支出記入欄
８  月末収支合計記入欄
９  メモ欄
【図１】
0003153091.tif 000003
【図２】
0003153091.tif 000004
【手続補正書】
【提出日】平成21年5月28日(2009.5.28)
【手続補正１】
【補正対象書類名】実用新案登録請求の範囲
【補正対象項目名】全文
【補正方法】変更
【補正の内容】
【実用新案登録請求の範囲】
【請求項１】
夢、目標の記入欄を１ページ設け、開いた２ページで１ヶ月間の目標、出来事、家計が記入でき、自分で項目が設定できることを特徴とする簡単家計簿。
【手続補正３】
【補正対象書類名】明細書
【補正対象項目名】０００４
【補正方法】変更
【補正の内容】
【０００４】本考案は家計記帳欄は１ヶ月２ページのみにする。そして自分で項目を設定し、大まかに記帳することとする。また、月の目標、その月の出来事欄も作り、どんな１ヶ月であったかお金だけでなく全体を振り返ることができる。そして、夢、目標のページを別に設けるなどにより問題を解決している。
(57)【要約】      （修正有）【課題】屋根ぶき工事で使用する仕上りムラのない金属ケラバを提供する。【解決手段】建築屋根ぶき工事における金属ケラバの欠点を解消する物である。従来の金属ケラバにおける漏水を起こし易い、又、施工技術者の技量の差による仕上りの良し悪しなどの欠点を解消する目的のものである。金属ケラバ内に樋を設けることにより雨漏りの軽減、施工技術者の技量の差のない仕上りが可能になると思われる。また、ケラバを分割することで施工の容易さ、仕上りの良さが可能になる。【選択図】図２
0003153099.tif 000002
【実用新案登録請求の範囲】
【請求項１】
建築屋根ぶき工事で使用する金属ケラバに樋を設けた金属ケラバ。
【考案の詳細な説明】
【技術分野】
【０００１】
本考案は、屋根ぶき工事で使用する金蔵ケラバに関するものである。
【背景技術】
【０００２】
現在、屋根ぶき工事に使われている金属ケラバは、谷状の仕様の物、もしくは唐草を用いて折り曲げつかみ込む仕様の物が一般的である。
【考案の概要】
【考案が解決しようとする課題】
【０００３】
谷状の仕様のケラバは、毛細管現象を起こし易く雨漏りの原因となっている。また金属屋根板の折り曲げ加工は、多様な形態により、施工技術者の技量の差で仕上がりにムラができる。
【課題を解決するための手段】
【０００４】
本考案は、それらの問題を解決すべきとして生まれた物である。樋つき金属ケラバを使えば雨漏りの軽減、仕上がりのムラが解消される。またケラバを分割することにより、破風板との取り合い部分に適切な施工ができる。
【図面の簡単な説明】
【０００５】
【図１】樋つき金属ケラバのベース部と仕上げカバー部
【図２】樋つき金属ケラバの標準的な使用例
【図１】
0003153099.tif 000003
【図２】
0003153099.tif 000004
【手続補正書】
【提出日】平成21年7月17日(2009.7.17)
【手続補正１】
【補正対象書類名】図面
【補正対象項目名】全図
【補正方法】変更
【補正の内容】
【図１】
0003153099.tif 000005
【図２】
0003153099.tif 000006